(57)【要約】【課題】  身分を認証し、電子データで名刺交換を行い、来訪者を通知すると共に、ドア入室にも利用できる身分認証付電子名刺システムを提供する。【解決手段】  サーバ２００で電子名刺機１０の機器ＩＤに対応してユーザＩＤ、個人情報、顔写真データを記憶しており、電子名刺機１０からの認証要求により当該電子名刺機１０にユーザＩＤ、個人情報、顔写真データをダウンロードして表示部６に表示するものであり、サーバ２００によって認証された名札として利用できる電子名刺システムである。【選択図】        図１
2006127064.tif 000002
【特許請求の範囲】
【請求項１】
利用者の個人情報、顔写真データを記憶し、前記利用者からの要求により前記個人情報、写真データを出力するサーバと、
前記サーバからのデータを無線送信する親機と、
記憶部と表示部と入力部とを備え、前記親機からのデータを受信して前記記憶部に記憶し、前記表示部に所有者の個人情報、顔写真データを表示する電子名刺機とを有することを特徴とする電子名刺システム。
【請求項２】
電子名刺機は、他の電子名刺機とのデータ交換を行って記憶部に記憶すると共に、当該交換した事項をサーバに通知し、
前記サーバは、名刺交換の事項を記憶することを特徴とする請求項１記載の電子名刺システム。
【請求項３】
サーバは、予め来訪者の電子名刺機の情報を登録しておき、来訪者の電子名刺機が親機の通信圏内に入ると、当該電子名刺機の情報から来訪者を特定し、特定した来訪者に面会する面会者の電子名刺機宛に来訪者の到着を通知することを特徴とする請求項１又は２記載の電子名刺システム。
【請求項４】
サーバは、面会者の電子名刺機に来訪者の到着を通知すると共に、来訪者の個人情報、顔写真データを前記電子名刺機に送信するために親機に出力し、
前記面会者の電子名刺機は、前記親機から受信した来訪者の個人情報、顔写真データを表示部に表示することを特徴とする請求項３記載の電子名刺システム。
【請求項５】
サーバは、来訪者の電子名刺機に、面会者の個人情報、顔写真データを送信するために親機に出力し、
前記来訪者の電子名刺機は、前記親機から受信した面会者の個人情報、顔写真データを表示部に表示することを特徴とする請求項３又は４記載の電子名刺システム。
【請求項６】
サーバには特定ドアの開閉を制御するドア開閉制御装置が接続され、
サーバは、親機を介して電子名刺機からドア開要求、ドア開閉制御装置の情報、利用者の情報を入力すると、前記利用者の情報からドアに入る権限の有無を判定し、権限があればドア開の指示を前記ドア開閉制御装置に出力し、
前記ドア開閉制御装置は、前記サーバからのドア開の指示によりドアを開状態にすることを特徴とする請求項１乃至５のいずれか記載の電子名刺システム。
【請求項７】
電子名刺機及び親機における無線機のアンテナフィルタとして、狭帯域の水晶フィルタを用い、通信方式をスペクトラム拡散方式として、高周波の微弱電波で、前記電子名刺機と前記親機との間を双方向通信としたことを特徴とする請求項１乃至６のいずれか記載の電子名刺システム。
【発明の詳細な説明】
【技術分野】
【０００１】
本発明は、電子的に個人情報等を表示する電子名刺システムに係り、特に、身分を認証し、電子データで名刺交換を行い、来訪者を通知すると共に、ドア入室にも利用できる身分認証付電子名刺システムに関する。
【背景技術】
【０００２】
従来の電子名刺について、平成１５（２００３）年４月２５日公開の特開２００３−１２３０３５号公報「入力機能付き電子無線名刺交換機」（出願人、発明者：永島孝也）がある。
この先行技術は、名刺サイズのカード型の装置で、無線通信で名刺情報を交換するというものである（特許文献１）。
このように名刺情報を電子的に交換する先行技術として、特開２００１−２２９３５１号公報（特許文献２）、特開平６−２８３７２号公報（特許文献３）がある。
【０００３】
また、電子名札をセキュリティに利用するものとして、平成９（１９９７）年９月１９日公開の特開平９−２４５１３８号公報「名札及びセキュリティ端末並びにこれらを利用したセキュリティシステム」（出願人：日本電気株式会社、発明者：猪俣義弘）がある。
この先行技術は、セキュリティ端末が照合要求信号を送信し、その信号に対して名札の無線タグから識別データを受信し、当該識別データから操作許容者であるか否かを判別し、操作許容者でなければ特別機能の起動を拒絶するものである（特許文献４）。
【０００４】
また、通信圏内の携帯端末を使って情報交換を行うものとして、平成１４（２００２）年６月７日公開の特開２００２−１６５００９号公報「携帯端末、情報交換仲介システム及びその方法」（出願人：富士写真フイルム株式会社、発明者：新貝安浩）がある。
この先行技術は、登録会員が希望する他人の希望プロフィール情報を自己の携帯端末に登録しておき、他の会員と近距離の無線通信圏内（１０ｍ程度のブルートゥース通信圏内）に入ると、通信を開始してお互いのプロフィール情報を交換し、双方のプロフィール情報が一致又は類似する場合に、両会員に所望の相手が近くにいることを通知するものである（特許文献５）。
【０００５】
また、入退場管理システムについて、平成１６（２００４）年５月１３日公開の特開２００４−１３９２６３号公報「入退場管理システム及び入退場管理装置」（出願人：アルゼ株式会社、発明者：富士本淳）がある。
この先行技術は、認証対象者が所持する携帯通信端末の赤外線通信を用いて、大区画内に入場した後に、更に小区画への入場を禁止できる入退場管理システムである（特許文献６）。
【０００６】
【特許文献１】特開２００３−１２３０３５号公報
【特許文献２】特開２００１−２２９３５１号公報
【特許文献３】特開平６−２８３７２号公報
【特許文献４】特開平９−２４５１３８号公報
【特許文献５】特開２００２−１６５００９号公報
【特許文献６】特開２００４−１３９２６３号公報
【発明の開示】
【発明が解決しようとする課題】
【０００７】
しかしながら、上記従来の電子名刺では、電子データの交換はできるものの、その電子データが真正なものであるのか身分認証されたものではなく、電子データの信頼性が十分ではないという問題点があった。
【０００８】
また、上記従来の近距離内での相手方通知の技術では、偶然の出会いを演出するもので、通信距離も１０ｍと短いものとなっており、来訪者の接近には不向きであり、更に来訪者の情報を得るものとはなっていないものである。
【０００９】
また、上記従来の入退場管理システムでは、所持する携帯通信端末を用いているものではあるが、端末により第三者が本人を容易に確認できて、入退場を管理するものとはなっていなかった。
【００１０】
本発明は上記実情に鑑みて為されたもので、身分を認証し、電子データで名刺交換を行い、来訪者を通知すると共に、ドア入室にも利用できる身分認証付電子名刺システムを提供することを目的とする。
【課題を解決するための手段】
【００１１】
上記従来例の問題点を解決するための本発明は、電子名刺システムにおいて、利用者の個人情報、顔写真データを記憶し、利用者からの要求により個人情報、顔写真データを出力するサーバと、サーバからのデータを無線送信する親機と、記憶部と表示部と入力部とを備え、親機からのデータを受信して記憶部に記憶し、表示部に所有者の個人情報、顔写真データを表示する電子名刺機とを有することを特徴とする。
【００１２】
本発明は、上記電子名刺システムにおいて、電子名刺機が、他の電子名刺機とのデータ交換を行って記憶部に記憶すると共に、当該交換した事項をサーバに通知し、サーバが、名刺交換の事項を記憶することを特徴とする。
【００１３】
本発明は、上記電子名刺システムにおいて、サーバが、予め来訪者の電子名刺機の情報を登録しておき、来訪者の電子名刺機が親機の通信圏内に入ると、当該電子名刺機の情報から来訪者を特定し、特定した来訪者に面会する面会者の電子名刺機宛に来訪者の到着を通知することを特徴とする。
【００１４】
本発明は、上記電子名刺システムにおいて、サーバが、面会者の電子名刺機に来訪者の到着を通知すると共に、来訪者の個人情報、顔写真データを面会者の電子名刺機に送信するために親機に出力し、面会者の電子名刺機は、親機から受信した来訪者の個人情報、顔写真データを表示部に表示することを特徴とする。
【００１５】
本発明は、上記電子名刺システムにおいて、サーバが、来訪者の電子名刺機に、面会者の個人情報、顔写真データを送信するために親機に出力し、来訪者の電子名刺機は、親機から受信した面会者の個人情報、顔写真データを表示部に表示することを特徴とする。
【００１６】
本発明は、上記電子名刺システムにおいて、サーバには特定ドアの開閉を制御するドア開閉制御装置が接続され、サーバが、親機を介して電子名刺機からドア開要求、ドア開閉制御装置の情報、利用者の情報を入力すると、利用者の情報からドアに入る権限の有無を判定し、権限があればドア開の指示をドア開閉制御装置に出力し、ドア開閉制御装置が、サーバからのドア開の指示によりドアを開状態にすることを特徴とする。
【００１７】
本発明は、上記電子名刺システムにおいて、電子名刺機及び親機における無線機のアンテナフィルタとして、狭帯域の水晶フィルタを用い、通信方式をスペクトラム拡散方式として、高周波の微弱電波で、電子名刺機と親機との間を双方向通信としたことを特徴とする。
【発明の効果】
【００１８】
本発明によれば、利用者の個人情報、顔写真データを記憶し、利用者からの要求により個人情報、顔写真データを出力するサーバと、サーバからのデータを無線送信する親機と、記憶部と表示部と入力部とを備え、親機からのデータを受信して記憶部に記憶し、表示部に所有者の個人情報、顔写真データを表示する電子名刺機とを有する電子名刺システムとしているので、サーバで認証された個人情報と顔写真データが電子名刺機の表示部に表示されて認証された名札として利用できる効果がある。
【００１９】
本発明によれば、電子名刺機が、他の電子名刺機とのデータ交換を行って記憶部に記憶すると共に、当該交換した事項をサーバに通知し、サーバが、名刺交換の事項を記憶する上記電子名刺システムとしているので、電子名刺機間で名刺データを交換でき、更にその事項をサーバで記憶して管理でき、名刺交換の相手方を容易に把握できる効果がある。
【００２０】
本発明によれば、サーバが、予め来訪者の電子名刺機の情報を登録しておき、来訪者の電子名刺機が親機の通信圏内に入ると、当該電子名刺機の情報から来訪者を特定し、特定した来訪者に面会する面会者の電子名刺機宛に来訪者の到着を通知する上記電子名刺システムとしているので、面会者は来訪者の到着を容易に知ることができる効果がある。
【００２１】
本発明によれば、サーバが、面会者の電子名刺機に来訪者の到着を通知すると共に、来訪者の個人情報、顔写真データを面会者の電子名刺機に送信するために親機に出力し、面会者の電子名刺機は、親機から受信した来訪者の個人情報、顔写真データを表示部に表示する上記電子名刺システムとしているので、面会者は面会前に来訪者の情報を確認できる効果がある。
【００２２】
本発明によれば、サーバが、来訪者の電子名刺機に、面会者の個人情報、顔写真データを送信するために親機に出力し、来訪者の電子名刺機は、親機から受信した面会者の個人情報、顔写真データを表示部に表示する上記電子名刺システムとしているので、来訪者は面会前に面会者の情報を確認できる効果がある。
【００２３】
本発明によれば、サーバには特定ドアの開閉を制御するドア開閉制御装置が接続され、サーバが、親機を介して電子名刺機からドア開要求、ドア開閉制御装置の情報、利用者の情報を入力すると、利用者の情報からドアに入る権限の有無を判定し、権限があればドア開の指示をドア開閉制御装置に出力し、ドア開閉制御装置が、サーバからのドア開の指示によりドアを開状態にする上記電子名刺システムとしているので、電子名刺機によって特定ドアの開閉を制御できる効果がある。
【００２４】
本発明によれば、電子名刺機及び親機における無線機のアンテナフィルタとして、狭帯域の水晶フィルタを用い、通信方式をスペクトラム拡散方式として、高周波の微弱電波で、電子名刺機と親機との間を双方向通信とした上記電子名刺システムとしているので、狭帯域の水晶フィルタが受信感度をよくし、従来よりも長い通信距離が可能となり、その通信距離において耐干渉性の高いスペクトラム拡散方式を用いることで、実用的なシステムを実現できる効果がある。
【発明を実施するための最良の形態】
【００２５】
本発明の実施の形態について図面を参照しながら説明する。
本発明の実施の形態に係る身分認証付電子名刺システムは、サーバで電子名刺機の機器ＩＤに対応してユーザＩＤ、個人情報、顔写真データを記憶しており、電子名刺機からの要求により当該電子名刺機にユーザＩＤ、個人情報、顔写真データをダウンロードして表示部に表示するものであり、サーバによって認証された名札として利用できるものである。
【００２６】
また、本発明の実施の形態に係る身分認証付電子名刺システムは、電子名刺機間で名刺データを交換すると共に、サーバに交換の事項を登録するものであり、名刺交換の相手を容易に把握できるものである。
【００２７】
また、本発明の実施の形態に係る身分認証付電子名刺システムは、予めサーバに来訪者を登録しておき、来訪者の電子名刺機が親機の通信圏内に入ると、面会者の電子名刺機に来訪者の到着を通知するものであり、面会者は来訪者の到着を容易に知ることができるものである。
【００２８】
また、本発明の実施の形態に係る身分認証付電子名刺システムは、特定のドアの開閉を制御するドア開閉制御装置からその機器ＩＤを電子名刺機が受信し、更に電子名刺機がドア開要求と、ドア開閉制御装置の機器ＩＤと、電子名刺機のＩＤを、親機を介してサーバに送信すると、サーバが電子名刺機のＩＤから所持するユーザがドアに入る権限があるか否かを判定し、権限があればドア開閉制御装置にドア開の指示を出力して、ドアを開状態にするものであり、電子名刺機を用いてドア開閉を容易に制御できるものである。
【００２９】
本発明の実施の形態に係る身分認証付電子名刺システムの概略について図１を参照しながら説明する。図１は、本発明の実施の形態に係る身分認証付電子名刺システムの概略図である。
本実施の形態の身分認証付電子名刺システム（本システム）は、図１に示すように、通常は名札として機能する電子名刺機１０と、電子名刺機１０との無線通信を行う親機１００と、名刺データの管理及び種々の処理を実行するサーバ２００と、ドア開閉の制御を行うドア開閉制御装置３００と、許可された者しか出入りできない区域に設けられたドア４００とを基本的に有している。
【００３０】
本システムの各部を具体的に説明する。
電子名刺機１０は、例えば、使用対象者が従業員である場合に、各自に配布されるものである。また、取引先がこの電子名刺機を保持するようになれば、利便性は更に向上するものである。
よって、電子名刺機１０は、複数存在するが、図１では、２つの電子名刺機１０ａ，１０ｂを示している。
【００３１】
電子名刺機１０は、送受信のための構成と、表示部と入力部を備え、機器識別子（機器ＩＤ）を内蔵し、親機１００との双方向通信を行う。また、ドア開閉制御装置３００からの信号（ドアの機器ＩＤ［ドアＩＤ］を含む）を受信するようになっている。
電子名刺機１０の具体的な内部構成は後述する。
【００３２】
尚、サーバ２００では、電子名刺機の機器ＩＤによって電子名刺機１０の所有者（ユーザＩＤ）を特定し、当該機器ＩＤに対応して所有者の個人情報及び写真データを記憶している。
個人情報としては、氏名、会社名、所属、役職、電話番号、ＦＡＸ番号、電子メールアドレス、会社のＵＲＬ（Uniform Resource Locator）、その他の情報である。このその他の情報を、所有者の自己紹介に関する情報とすれば来訪者通知及び名刺交換の際に、自己宣伝となって有効である。
【００３３】
電子名刺機１０を名札として利用する場合には、親機１００に対して認証の指示が送信されると、その認証指示がサーバ２００に入力され、サーバ２００で指示のあった機器ＩＤから所有者（ユーザＩＤ）を特定し、当該所有者のユーザＩＤに対応する個人情報及び写真データを電子名刺機１０宛に親機１００を介して送信する。そして、電子名刺機１０は、ユーザＩＤ、個人情報及び写真データを受信し、受信したデータが表示部に表示されて、名札として利用可能となる。
【００３４】
また、電子名刺機１０を来訪者の通知装置として利用する場合には、面会者はネットワークに接続するパーソナルコンピュータ（ＰＣ）を用いて、予めサーバ２００に対して来訪者の登録をしておく。来訪者も電子名刺機を所持しており、その来訪者の個人情報と写真データがサーバ２００に登録された状態で、その来訪者Ａさんが面会者Ｂさんの所に何時から何時の間に来訪するかを登録しておくものである。
【００３５】
親機１００と電子名刺機１０との通信距離は１５０ｍ程度であり、来訪者（Ａさん）の電子名刺機１０ａが親機１００の通信圏内に入ると、その機器ＩＤを検出し、サーバ２００に出力する。サーバ２００は、検出した機器ＩＤから予定されていた来訪者であることを認識すると、対応する面会者Ｂさんの電子名刺機１０ｂに来訪者の通知を行う。この通知の際に、来訪者の個人情報及び写真データを電子名刺機１０ｂに送信して来訪者の情報を事前に知らせるようにする。
また、サーバ２００は、来訪者Ａさんの電子名刺機１０ａに対しても、「Ｂさんがお待ちしております」とのメッセージを表示させてもよいし、面会者Ｂさんの個人情報及び写真データを来訪者Ａさんの電子名刺機１０ａに送信して面会者Ｂさんの情報を事前に知らせるようにしてもよい。
【００３６】
また、電子名刺機１０相互で名刺データを交換する場合には、相手のユーザＩＤを入力して、相手機器からの信号を受信する操作を行い、当該ＩＤに対応して相手の名刺データを自機の電子名刺機１０に取り込む。
ユーザＩＤは、サーバ２００において機器ＩＤに対応付けられて記憶されており、名札として使用した際に、電子名刺機１０にユーザＩＤが送信されて記憶部（メモリ）に記憶された状態となっている。
また、電子名刺機１０で名刺交換を行った場合、その事実を各電子名刺機１０から親機１００を介してサーバ２００にユーザＩＤに対応して登録しておく。これにより、両者の関連性を記憶してビジネスに役立てることができるものである。
【００３７】
電子名刺機１０を入室が制限されたドアの開閉に用いる場合には、ドア開閉制御装置３００から当該機器のＩＤ（ドアＩＤ）を受信し、当該ドアＩＤと電子名刺機１０の機器ＩＤとドア開要求を、親機１００を介してサーバ２００に送信すると、サーバ２００が機器ＩＤの所有者がドアＩＤのドアの中に入ることが許可された者か否かを判定し、許可された者であればドア開閉制御装置３００に対してドア開の指示を出力し、ドア４００を開くようにする。
尚、ドアＩＤは、ドア近傍に記載されたものを電子名刺機１０の入力部から入力するようにしてもよい。
【００３８】
親機１００は、電子名刺機１０と双方向通信を行うもので、受信したデータはサーバ２００に出力し、サーバ２００から入力されたデータを電子名刺機１０に送信するものである。
また、親機１００は、通信圏内の電子名刺機１０を検出するために、定期的に呼出信号を送信し、圏内にある電子名刺機１０からの返信を受信して、圏内にある電子名刺機１０を認識するようになっている。
親機の具体的内部構成については後述する。
【００３９】
サーバ２００は、少なくともＣＰＵ（Central Processing Unit）等の制御部と記憶部とを備え、記憶部に格納するプログラムの動作により処理を実行するものである。
また、サーバ２００の記憶部には、機器ＩＤに対応してユーザＩＤ、所有者の個人情報、写真データを記憶し、またドアＩＤに対して権限（入室が許可されているか否かの権限）のあるユーザＩＤをも記憶している。
更に、サーバ２００は、ユーザＩＤに対応して来訪及び往訪の履歴、名刺交換の履歴を記憶している。
また、サーバ２００は、電子名刺機１０からのドア開要求に対して機器ＩＤとドアＩＤとから入室権限を判定し、ドア開閉制御装置３００にドア開の指示を出力する。
尚、サーバ２００の具体的動作は後述する。
【００４０】
ドア開閉制御装置３００は、ドア４００のドアロックを制御し、電子名刺機１０にドアＩＤの信号を微弱電波で送信し、サーバ２００からのドア開の指示を入力すると、ドア４００のロックを解除するものである。
尚、ドア開閉制御装置３００が微弱電波を送信しない場合は、当該機器のＩＤがドア近傍に記載されており、電子名刺機１０がそのＩＤを入力部から入力して電子名刺機１０に取り込むようにしてもよい。
【００４１】
ドア４００は、入室を制限された区域に設けられたドアであり、ドア開閉制御装置３００によってドアロックのオン／オフが制御されている。
【００４２】
次に、本システムの電子名刺機１０の具体的構成について図２を参照しながら説明する。図２は、本システムの電子名刺機の構成ブロック図である。
電子名刺機１０は、図２に示すように、無線部１と、信号処理部２と、アンテナ部３と、制御部４と、メモリ５と、表示部６と、入力部７とを基本的に有している。
【００４３】
本システムの電子名刺機１０の各部を説明する。
無線部１は、アンテナ部３から取り込まれた信号を増幅し、帯域制限してＩＦ（中間周波数：Intermediate Frequency）周波数帯にダウンコンバートし、更に信号処理部２への入力レベルに増幅する。
また、無線部１は、信号処理部２から入力された信号をＲＦ（無線周波数：Radio Frequency）周波数帯に変換し、帯域制限して微弱無線局の電界強度レベル内で高周波増幅する。
尚、無線部１の内部の具体的構成は後述する。
【００４４】
信号処理部２は、無線部１から入力された信号をキャリア復調し、逆拡散して同期した信号を復調し、受信データの復号を行って制御部４に出力する。
また、信号処理部２は、制御部４から入力されたデータを拡散変調し、波形整形してキャリア変調し、無線部１に出力する。
尚、信号処理部２の内部の具体的構成は後述する。
【００４５】
制御部４は、信号処理部２で復号した受信データからＩＤを取得し、取得したＩＤ（相手からのＩＤ）が自己のＩＤと一致するか否かを判定し、一致する場合に、受信データを取り込み、メモリ５に格納すると共に表示部６に表示出力する。また、入力部７から入力された指示のデータを親機１００に送信するために信号処理部２に出力する。
【００４６】
メモリ５は、受信データを記憶するもので、名札としての利用の場合は、所有者本人のユーザＩＤ、個人情報と写真データが記憶され、来訪者通知の場合は、来訪者の個人情報と写真データが記憶され、名刺交換の場合は、交換相手の個人情報と写真データが記憶され、ドア開閉の場合は、ドア開閉制御装置３００から受信したドアＩＤを記憶するようになっている。
また、機器ＩＤは、機器固有のものであるから制御部４で保持するようにし、ユーザＩＤは、サーバ２００から付与されるのでメモリ５で記憶するようにする。
【００４７】
表示部６は、受信データ及び入力部７からの指示を表示するものであり、名札としての利用の場合は、所有者本人の個人情報と写真データが表示され、来訪者通知の場合は、来訪者の個人情報と写真データが表示され、名刺交換の場合は、交換相手の個人情報と写真データが表示されるようになっている。
【００４８】
入力部７は、名札としての利用の場合に、所有者本人の個人情報と写真データをサーバ２００から要求する指示（認証の指示）を入力し、名刺交換の場合に、相手データの受信の指示、自己データの送信の指示を入力し、ドア開閉の場合にドア開の要求の指示を入力するものである。
【００４９】
次に、本システムの親機１００の具体的構成について図３を参照しながら説明する。図３は、本システムの親機の構成ブロック図である。
親機１００は、図３に示すように、無線部１０１と、信号処理部１０２と、アンテナ部１０３と、制御部１０４と、メモリ１０５とを基本的に有している。
また、制御部１０４は、サーバ２００に接続している。
【００５０】
本システムの親機１００の各部を説明する。
無線部１０１と、信号処理部１０２と、アンテナ部１０３は、電子名刺機１０における無線部１と、信号処理部２と、アンテナ部３と同様の構成及び動作となっている。
【００５１】
制御部１０４は、受信データを信号処理部１０２から入力し、メモリ１０５に格納し、そのデータをサーバ２００に出力する。
また、制御部１０４は、サーバ２００から入力されたデータをメモリ１０５に格納し、そのデータを送信するために信号処理部１０２に出力する。
【００５２】
メモリ１０５は、受信データとして、認証指示のデータ、名刺交換が為された旨のデータ、ドア開の要求指示のデータが一時的に格納され、送信データとして、本人及び来訪者の個人情報及び写真データが格納される。
【００５３】
次に、本システムにおける無線部１の構成について図４を参照しながら説明する。図４は、無線部１の構成ブロック図である。尚、無線部１０１の構成も同様である。
無線部１は、図４に示すように、バンドパスフィルタ（ＢＰＦ）１１と、パワーアンプ（ＰＡ）１２と、低雑音増幅器（Low Noise Amplifier：ＬＮＡ）１３と、スイッチ（ＳＷ）１４、スイッチ（ＳＷ）１５、バンドパスフィルタ（ＢＰＦ）１６と、スイッチ（ＳＷ）１７、発振器（Oscillator：ＯＳＣ）１８、受信ミキサ１９、ローパスフィルタ（ＬＰＦ）２０と、可変利得増幅器（Automatic Gain Control Amplifier：ＡＧＣ）２１と、ローパスフィルタ（ＬＰＦ）２２と、送信ミキサ２３とを基本的に有している。
【００５４】
ここで、ＢＰＦ１６は、アンテナ部３で受信されたＶＨＦ帯以上の周波数のキャリア帯信号をフィルタリングする水晶フィルタ（３１５ＭＨｚ±２０ｋＨｚ）を用い、ＯＳＣ１８は、水晶振動子（３１５ＭＨｚ−４８ｋＨｚ）を具備する高周波ローカル発振器を用い、温度特性及び経年変化特性がそれぞれ互いに実質的に同じになる動作環境となる部位に実装する。
【００５５】
このような実装とすることで、仮に周波数のずれが発生した場合であっても、そのずれの方向が両者同じ方向になるので、不都合を回避することができる。
ここで、「同じ動作環境」とは、例えば、水晶フィルタ及び水晶振動子を、各々の温度特性を実質的に同じにする材質から成る一つのモジュール容器に同梱すること等をいう。
【００５６】
アンテナフィルタとして水晶フィルタを用いることは、従来のＳＡＷフィルタに比べて極めて狭帯域の帯域制限を実現できるものであり、キャリア帯信号が通過する帯域幅は数十ｋＨｚ程度であって、ＳＡＷフィルタに比べて格段に狭帯域となる。
そのため、エネルギー保存の法則により、同じエネルギー（送信時の電力）に対する受信側の受信感度を飛躍的に向上させることができる。
【００５７】
そもそも、水晶フィルタは、短波帯までの比較的短い周波数の無線機で使用されているが、水晶フィルタの実現可能範囲に一定の上限があるため、無線通信システムにおいてＶＨＦ帯（３０〜３０ＭＨｚ）又はＵＨＦ帯（３００ＭＨｚ〜３ＧＨｚ）の周波数での使用は考えられていなかった。そのため、高周波帯用に開発されたＳＡＷフィルタが無線通信システムに使用されたものの、広帯域のＳＡＷフィルタでは受信感度を高めることはできず、最大２０ｍ程度の通信距離での運用となっていた。
【００５８】
しかしながら、水晶フィルタを開発・製造する出願人の努力により、水晶フィルタが使用可能な周波数の範囲は拡大される方向にあり、更に、水晶は、基本波の他に、オーバートーン（基本波の周波数に対して奇数倍の周波数で使用可能であること）を利用し、水晶フィルタをＶＨＦ帯以上の高周波でもアンテナフィルタに適用できるに至った。
【００５９】
水晶フィルタは、例えば、ＡＴカットした水晶片を有している。ＡＴカットは、水晶のＸ軸に平行でＺ軸から３５度１５分近辺にカットしたもので、周波数温度特性が広い温度範囲にわたって３次曲線の極めて良好な特性を示す。
水晶フィルタは、例えば、３次オーバートーン、１００〜１３０ＭＨｚ、好ましくは１０５ＭＨｚのものを３１５ＭＨｚで使用する。
これにより、水晶フィルタの３ｄＢ減衰域での帯域幅は、数十ｋＨｚ程度となり、ＳＡＷフィルタの帯域幅と比較すると、格段に狭帯域となり、受信感度が飛躍的に向上でき、通信距離が最大１５０ｍ程度を実現できたものである。
【００６０】
次に、無線部１における動作を説明する。無線部１０１の動作も同様である。
まず、無線機１における受信の動作を説明する。
アンテナ部３から入力された信号は無線部１に入力され、ＢＰＦ１１を通過して帯域制限された後に、ＳＷ１４にて受信側に切り替えられ、ＬＮＡ１３で増幅され、ＳＷ１５でＢＰＦ１６に出力される。
【００６１】
そして、信号は、ＢＰＦ１６で帯域制限され、ＳＷ１７で受信側に切り替えられ、受信ミキサ１９でＯＳＣ１８からの発振周波数を用いて合成され、ＩＦ周波数帯へダウンコンバートされる。
ＩＦ周波数となった信号は、ＬＰＦ２０で受信ミキサ１９による高調波スプリアスを除去した後に、ＡＧＣ２１にて信号処理部２のアナログ／デジタル変換器（Ａ／Ｄ）３１に適切な一定の入力レベルに増幅される。
【００６２】
次に、無線機１における送信の動作を説明する。
信号処理部２から出力されたＩＦ信号は、ＬＰＦ２２にて高調波を除去してＯＳＣ１８からの発振周波数で送信ミキサ２３にてミキシングし、ＲＦ周波数帯に変換される。
その後にＳＷ１７でＲＦ周波数の信号はＢＰＦ１６に出力され、ＢＰＦ１６にて帯域制限され、ＳＷ１５が送信側に切り替えられ、ＰＡ１２にて微弱無線局の電界強度レベル内で高周波増幅される。
そして、ＳＷ１４を経由し、ＢＰＦ１１にて空間に放射される最後の帯域制限を行い、アンテナ部３からアンテナ送信される。
【００６３】
次に、本システムにおける信号処理部２の構成について図５を参照しながら説明する。図５は、信号処理部２の構成ブロック図である。尚、信号処理部１０２の構成も同様である。
信号処理部２は、図５に示すように、アナログ／デジタル変換器（Ａ／Ｄ）３１と、キャリア復調回路３２と、ＡＧＣ制御回路３３と、キャリアデータ生成回路３４と、拡散符号生成回路３５と、逆拡散回路３６と、同期回路３７と、ＢＰＳＫ（２相位相変調方式：Binary Phase Shift Keying）復調回路３８と、データ受信回路３９と、データ生成回路４０と、拡散回路４１と、ＢＰＳＫ変調回路４２と、波形整形回路４３と、キャリア変調回路４４と、デジタル／アナログ変換器（Ｄ／Ａ）４５とを基本的に有している。
【００６４】
次に、信号処理部２における動作を説明する。尚、信号処理部１０２の動作も同様である。
まず、信号処理部２における受信の動作を説明する。尚、以下の信号処理部２は、親機のものを想定している。
無線部１から入力された信号は、アナログ／デジタル変換器（Ａ／Ｄ）３１でデジタル値となった後にキャリア復調回路３２によりキャリアデータ生成回路３４から出力されるキャリアデータを用いて復調され、Ｉ成分とＱ成分の複素データに分割される。
このとき、ＡＧＣ２１の利得の制御をＡＧＣ制御回路３３で行う。具体的には、キャリア復調回路３２から出力されるＩ成分とＱ成分について、Ｉ成分の２乗とＱ成分の２乗との和の平方根を使って一定になるようＡＧＣ２１に制御信号を出力する。
【００６５】
次に、受信した複素データに対して、拡散符号生成回路３５から生成された拡散符号を用いて逆拡散回路３６でそれぞれ逆拡散処理を行う。逆拡散に使う符号は相手側の送信に使用された拡散符号を使って行われる。
次に、同期回路３７において、マッチドフィルタを用いて相関検出を行い、予め決められた閾値以上のピークを検出したときを同期タイミングとして、相手側と同期して受信が行われる。
同期した信号をＢＰＳＫ復調回路３８でＢＰＳＫ復調し、元のデータに復号してデータ受信回路３９に出力する。データ受信回路３９は、復号したデータを制御部４に出力する。
【００６６】
尚、同期回路３７で同期タイミングが得られると、同期回路３７は、当該同期タイミングに基づいて、無線部１、信号処理部２における全ての回路等に受信用同期タイミング、送信用同期タイミングを出力する。
【００６７】
次に、信号処理部２における送信の動作を説明する。尚、信号処理部１０２の動作も同様である。
制御部４からの送信用のデータは、データ生成回路４０に入力され、データ生成回路４０は、送信用データを拡散回路４１に出力する。
拡散回路４１では、拡散符号生成回路３５から出力される予め決められた拡散符号により拡散変調を行い１、０の信号に拡散する。それをＢＰＳＫ変調回路４２でＢＰＳＫ変調し、１、−１にレベル変換し、波形整形回路４３におけるデジタルフィルタにて波形整形をする。
【００６８】
波形整形した送信データに対して、キャリア変調回路４４にてキャリアデータ生成回路３４から出力されるＩＦ周波数である送信キャリアのデータを乗算する。このデジタル値をＤ／Ａ４５にてアナログ値に変換し無線周波数帯のＩＦ信号が無線部１のＬＰＦ２２に出力される。
【００６９】
本システムにおける電子名刺機１０の無線部１、信号処理部２の各部は、集積化されたＩＣチップで構成され、水晶フィルタと共にモジュール容器に収容されて一体化されるようになっているので、小型化を図ることができる。親機１００等の通信装置においても同様の構成とすることで小型化できるものである。
特に、水晶フィルタはＳＡＷフィルタより遙かに小型軽量であるため、小型化に向いており、電子名刺機１０のような名刺サイズの形状を実現できるものである。
【００７０】
次に、本システムの動作について、特にサーバの制御部における処理を中心に説明する。
まず、来訪者到着通知の処理について図６を参照しながら説明する。図６は、本システムのサーバにおける来訪者到着処理のフローチャートである。
サーバ２００の制御部は、面会者から来訪者の来訪日を登録する（Ｓ１）。面会者からの登録は、サーバ２００にＬＡＮ（Local Area Network）で接続する面会者のパーソナルコンピュータから為される。ここで、来訪者の個人情報と写真データは既に登録されているものとする。
【００７１】
来訪日となって、来訪者の電子名刺機１０が親機１００の通信圏内に入ったか否かを判定し（Ｓ２）、まだ圏内に入っていなければ（Ｎｏの場合）、判定処理Ｓ２を繰り返す。判定処理Ｓ２は、来訪者の登録の際に、来訪者の電子名刺機１０のＩＤが登録され、親機１００でその電子名刺機１０のＩＤを検出すると圏内に入ったと判定するものである。
また、来訪者の電子名刺機１０が親機１００の通信圏内に入ったならば（Ｙｅｓの場合）、登録者（面会者）に来訪を通知する（Ｓ３）。この通知の際に、来訪者の個人情報と写真データとを登録者に送信する。
また、来訪者にも面会者が面会の準備をしている旨通知し、面会者の個人情報と写真データとを送信するようにしてもよい。
【００７２】
次に、電子名刺機１０相互の名刺交換処理について図７を参照しながら説明する。図７は、本システムの電子名刺機における名刺交換処理のフローチャートである。
図７では、特に相手のデータを取り込む処理を説明したもので、電子名刺機１０の制御部は、相手のユーザＩＤが入力され、次に入力部７から相手方データの受信指示が入力されると（Ｓ１２）、相手のデータを取り込む（Ｓ１３）。そして、電子名刺機１０は名刺交換した旨をサーバ２００に登録処理するため送信を行う（Ｓ１４）。
【００７３】
これに対してサーバ２００は、名刺交換があった２つのユーザについて名刺交換の事実を登録するものである。サーバ２００では、名刺交換された関連性を記憶し、その後のユーザからの問い合わせについてその関連性のデータを提供するものである。
【００７４】
次に、本人認証付名札の処理について図８を参照しながら説明する。図８は、本システムにおけるサーバの本人認証付名札の処理を示すフローチャートである。
当該処理は、個人情報等の基本データを電子名刺機１０にサーバ２００からダウンロードするものであるから、本システムにおいては初期の処理で実行されるものである。
まず、サーバ２００の制御部は、図８に示すように、電子名刺機１０から名札として使用するための認証指示と機器ＩＤを受信したか否かを判定し（Ｓ２１）、受信していなければ（Ｎｏの場合）、判定処理Ｓ２１を繰り返す。
【００７５】
電子名刺機１０から認証指示と機器ＩＤを受信したならば（Ｙｅｓの場合）、制御部は、記憶部から機器ＩＤに対応したユーザＩＤの個人情報と写真データを読み出し、当該機器ＩＤの電子名刺機１０宛に送信するために親機１００に出力する（Ｓ２２）。
ユーザＩＤ、個人情報と写真データを受信した電子名刺機１０は、それらデータをメモリ５に記憶すると共に、表示部６に表示して名札として利用するものである。
【００７６】
次に、ドア入室処理について図９を参照しながら説明する。図９は、本システムのサーバにおけるドア入室処理のフローチャートである。
サーバ２００の制御部は、電子名刺機１０からドアの開要求と、ドアＩＤと電子名刺機のＩＤを受信すると（Ｓ３１）、電子名刺機１０のＩＤのユーザが入室可能な人物か否かを判定する（Ｓ３２）。この判定処理では、制御部は記憶部から電子名刺機１０の機器ＩＤに対応するユーザＩＤを読み込み、更に記憶部に記憶されたドアＩＤに対する権限のあるユーザＩＤを参照して、機器ＩＤに対応するユーザＩＤが権限のあるＩＤであるかどうか判定して為される。
【００７７】
入室可能な人物でなければ（Ｎｏの場合）、ドアロックは解除されず、処理を終了する。
また、判定処理Ｓ３２で、入室可能な人物であれば（Ｙｅｓの場合）、ドア開の指示をドア開閉制御装置３００に出力する（Ｓ３３）。ドア開閉制御装置３００は、サーバ２００からのドア開の指示によりドアロックを解除し、入室可能とするものである。
そして、処理を終了する。
【００７８】
本システムによれば、電子名刺機１０がサーバ２００から送信された認証済みの個人情報と写真データを表示して名札として使用されるものであるから、本人以外は電子名刺機１０を名札で使用すると写真が相違することになるため、容易に不正を第三者が認識できる効果がある。
【００７９】
本システムによれば、来訪者の到着を面会者に通知して、来訪者の情報を提供するようにしているので、面会者は来訪者に対して十分な準備ができる効果がある。
また、本システムによれば、来訪者に対しても面会者の情報を提供するようにしているので、来訪者にとっても十分な準備ができる効果がある。
【００８０】
本システムによれば、電子名刺機１０の所有者同士で名刺交換を容易に行うことができ、電子名刺機１０で名刺の検索を可能であり、更に電子名刺機１０を、インタフェースを介してパーソナルコンピュータ（ＰＣ）や携帯電話機に接続すれば、蓄積した他人の名刺データをＰＣや携帯電話機で活用できる効果がある。
更に、名刺交換の事実をサーバ２００で管理すれば、ユーザが名刺交換した関係者を容易に把握できる効果がある。
【００８１】
本システムによれば、入室制限されたドアの開閉について電子名刺機１０を利用するようにしているので、セキュリティを向上させつつ入出退を管理できる効果がある。
特に、本システムでは、電子名刺機１０に本人の顔写真が表示されているので、顔写真と相違する者は周囲の者に気付かれるため、不正入室を容易に発見できる効果がある。
【００８２】
本システムは、企業内での利用を前提としたが、インターネットでのオープンなシステムにも適用可能であり、任意の会員に電子名刺機を配布し、会員同士が名刺交換をして名刺交換をした会員を１つのグループとして認識して、様々なイベント等を実施することが可能となる。
【産業上の利用可能性】
【００８３】
本発明は、身分を認証し、電子データで名刺交換を行い、来訪者を通知すると共に、ドア入室にも利用できる身分認証付電子名刺システムに好適である。
【図面の簡単な説明】
【００８４】
【図１】本発明の実施の形態に係る身分認証付電子名刺システムの概略図である。
【図２】本システムの電子名刺機の構成ブロック図である。
【図３】本システムの親機の構成ブロック図である。
【図４】無線部１の構成ブロック図である。
【図５】信号処理部２の構成ブロック図である。
【図６】本システムのサーバにおける来訪者到着処理のフローチャートである。
【図７】本システムの電子名刺機における名刺交換処理のフローチャートである。
【図８】本システムにおけるサーバの本人認証付名札の処理を示すフローチャートである。
【図９】本システムのサーバにおけるドア入室処理のフローチャートである。
【符号の説明】
【００８５】
１，１０１…無線部、  ２，１０２…信号処理部、  ３，１０３…アンテナ部、  ４，１０４…制御部、  ５，１０５…メモリ、  ６…表示部、  ７…入力部、  １０…電子名刺機、  １１…バンドパスフィルタ（ＢＰＦ）、  １２…パワーアンプ（ＰＡ）、  １３…低雑音増幅器（ＬＮＡ）、  １４…スイッチ（ＳＷ）、  １５…スイッチ（ＳＷ）、  １６…バンドパスフィルタ（ＢＰＦ）、  １７…スイッチ（ＳＷ）、  １８…発振器（ＯＳＣ）、  １９…受信ミキサ、  ２０…ローパスフィルタ（ＬＰＦ）、  ２１…可変利得増幅器（ＡＧＣ）、  ２２…ローパスフィルタ（ＬＰＦ）、  ２３…送信ミキサ、  ３１…アナログ／デジタル変換器（Ａ／Ｄ）、  ３２…キャリア復調回路、  ３３…ＡＧＣ制御回路、  ３４…キャリアデータ生成回路、  ３５…拡散符号生成回路、  ３６…逆拡散回路、  ３７…同期回路、  ３８…ＢＰＳＫ復調回路、  ３９…データ受信回路、  ４０…データ生成回路、  ４１…拡散回路、  ４２…ＢＰＳＫ変調回路、  ４３…波形整形回路、  ４４…キャリア変調回路、  ４５…デジタル／アナログ変換器（Ｄ／Ａ）、  １００…親機、  ２００…サーバ、  ３００…ドア開閉制御装置、  ４００…ドア
【図１】
2006127064.tif 000003
【図２】
2006127064.tif 000004
【図３】
2006127064.tif 000005
【図４】
2006127064.tif 000006
【図５】
2006127064.tif 000007
【図６】
2006127064.tif 000008
【図７】
2006127064.tif 000009
【図８】
2006127064.tif 000010
【図９】
2006127064.tif 000011